(57)【要約】【課題】  台車上の金型等が数トンもの重いものであっても比較的弱い力でも移動させることが出来るようにすると共に、作業効率を高め、安全で安価なものを提供しようとするものである。【解決手段】  上面を開放して出入空間を列設し内部の載置面に金型等の物品の収納を自在とした収納体と、該収納体の上面を走行自在なるよう列設した複数個の台車とよりなり、該台車を移動させることにより前記出入空間の少なくとも一つを開放自在とし、収納体の上面一側部で、該収納体の端部に設けた張設金具間にチェーンを張設し、このチェーンの中間は、各台車の側部に設けた駆動歯車と該駆動歯車の両脇下部に設けたアイドラ歯車に懸廻してあって、これら歯車は駆動歯車の駆動軸に設けたハンドルにより回転自在としてあり、台車側部の駆動歯車、アイドラ歯車は安全カバーにより覆い、台車間に張られたチェーンは下部樋に嵌め込み、各台車にはロック装置を設けて収納体上の停止位置でのロックの掛け外しを自在とした多段式整理棚である。【選択図】    図１
2006205486.tif 000002
【特許請求の範囲】
【請求項１】
上面を開放して出入空間を列設し内部の載置面に金型等の物品の収納を自在とした収納体と、該収納体の上面を走行自在なるよう列設した複数個の台車とよりなり、該台車を移動させることにより前記出入空間の少なくとも一つを開放自在とし、収納体の上面一側部で、該収納体の端部に設けた張設金具間にチェーンを張設し、このチェーンの中間は、各台車の側部に設けた駆動歯車と該駆動歯車の両脇下部に設けたアイドラ歯車に懸廻してあって、これら歯車は駆動歯車の駆動軸に設けたハンドルにより回転自在としてあり、台車側部の駆動歯車、アイドラ歯車は安全カバーにより覆い、台車間に張られたチェーンは下部樋に嵌め込み、各台車にはロック装置を設けて収納体上の停止位置でのロックの掛け外しを自在とした多段式整理棚。
【発明の詳細な説明】
【技術分野】
【０００１】
本発明は金型等を収納したり、或は取り出すのに便利な整理棚に関するものである。
【従来の技術】
【０００２】
従来のこの種の整理棚は多段式とし、手動により台車を左右に移動させて出入空間を作り、この出入空間より金型の出し入れを行うものがある。
【従来の技術の欠点】
【０００３】
然しながらこの多段式のものにあっては手動によって台車を動かすものであるが、台車上の金型は軽いものであるときは手動でも良いが、数トンもの重いものであるときは手動での移動は困難を極め作業効率を悪くし、然も作業の姿勢が不自然となって力が入らず怪我の原因になるなど安全面からもその改善が要望されており、且つ安価なものが望まれている。
【発明の開示】
【発明が解決しようとする課題】
【０００４】
本発明はこれらの欠点を解消すべく開発されたもので、台車上の金型等が数トンもの重いものであっても比較的弱い力でも移動させることが出来るようにすると共に、作業効率を高め、安全で安価なものを提供しようとするものである。
【課題を解決するための手段】
【０００５】
本発明は、上面を開放して出入空間を列設し内部の載置面に金型等の物品の収納を自在とした収納体と、該収納体の上面を走行自在なるよう列設した複数個の台車とよりなり、該台車を移動させることにより前記出入空間の少なくとも一つを開放自在とし、収納体の上面一側部で、該収納体の端部に設けた張設金具間にチェーンを張設し、このチェーンの中間は、各台車の側部に設けた駆動歯車と該駆動歯車の両脇下部に設けたアイドラ歯車に懸廻してあって、これら歯車は駆動歯車の駆動軸に設けたハンドルにより回転自在としてあり、台車側部の駆動歯車、アイドラ歯車は安全カバーにより覆い、台車間に張られたチェーンは下部樋に嵌め込み、各台車にはロック装置を設けて収納体上の停止位置でのロックの掛け外しを自在とした多段式整理棚である。
【発明の効果】
【０００６】
本発明は、上面を開放して出入空間を列設し内部の載置面に金型等の物品の収納を自在とした収納体と、該収納体の上面を走行自在なるよう列設した複数個の台車とよりなり、該台車を移動させることにより前記出入空間の少なくとも一つを開放自在とし、収納体の上面一側部で、該収納体の端部に設けた張設金具間にチェーンを張設し、このチェーンの中間は、各台車の側部に設けた駆動歯車と該駆動歯車の両脇下部に設けたアイドラ歯車に懸廻してあって、これら歯車は駆動歯車の駆動軸に設けたハンドルにより回転自在としてあり、台車側部の駆動歯車、アイドラ歯車は安全カバーにより覆い、台車間に張られたチェーンは下部樋に嵌め込み、各台車にはロック装置を設けて収納体上の停止位置でのロックの掛け外しを自在としたので、比較的弱い力で台車上の数トンもの重量物を移動させることができ、且複数の台車も隣接する台車のハンドル操作で移動させることも可能であり、作業効率を高め安全であり、然もチェーンは一本で済ますことが出来るので安価に提供できるなどの利点を有する。
【０００７】
又台車の駆動歯車、アイドラ歯車は安全カバー、台車間に張られたチェーンは下部樋にはめ込まれているので、作業中に衣服、指等を挟んだりする危険性がなく安全である。
【０００８】
又上下の空間の内１つの出入空間以外は金型等を収納できるので有効収納容積も大きく比較的狭い空間に多数のものを収納することができる。
【実施例】
【０００９】
本発明を図示の実施例によって詳記すると、上面を開放して出入空間１、１…を列設し内部の載置面２に金型等の物品の収納を自在とした収納体３と、該収納体３の上面を走行自在なるよう列設した前記出入空間１の長さと略等しい複数個の台車４、４…とよりなっている。
【００１０】
該台車４、４…は収納体３の上面に設けたレール手段５を移動させることにより前記出入空間１、１…の一つ以上を開放するようになっている。
【００１１】
収納体３の上面一側部で、該収納体２の端部に設けた張設金具６，６間にチェーン７を張設し、このチェーン７の中間は、各台車４、４…に設けた駆動歯車８と該駆動歯車８の両脇下部に設けたアイドラ歯車９，９に懸廻してあって、これら歯車８、９，９、は駆動歯車８の駆動軸１０に設けたハンドル１１により回転自在としてある。アイドラ歯車９は必要に応じて設けることが出来る。
【００１２】
台車４、４…の側部の歯車８、９，９、は安全カバー１２により覆い、台車４，４…間に張設されたチェーン７は下部樋１３に嵌め込み、各台車４、４…にはロック装置１４を設けて収納体３上の停止位置でのロックの掛け外しを自在としたものである。
【００１３】
ロック装置１４の一例としては、下動するロック杆１５を各台車４の側部に設け、該台車４の停止位置の収納体３のフレーム上に設けたロック穴１６に落とし込み自在としてロックするようになっている。そのほかの汎用方法でも良い。
【発明の作用】
【００１４】
本発明は以上の如く具現されるもので、先ず収納体３の載置面２に金型等を出入させるには所要位置のの台車４のロック装置１４を外し、ハンドル１１を回転させることにより当該台車４は移動し出入空間１が開放され、停止位置においてロック装置１４がロックされて載置面２上の金型等の出入作業をする。複数の台車４，４を同時に移動させる場合は当該台車のロック装置を外し、外側の台車のハンドル１１を回転させるようにすれば良い。
【図面の簡単な説明】
【００１５】
【図１】本発明の部分正面説明図。
【図２】チェーン、台車、駆動歯車、アイドラ歯車の関係を示した部分正面拡大説明図。
【図３】ロック装置、チェーン、台車、駆動歯車、アイドラ歯車の関係を示した側面部分拡大説明図。
【符号の説明】
【００１６】
１    出入空間
２    載置面
３    収納体
４    台車
５    レール手段
６、６  張設金具
７    チェーン
８    駆動歯車
９，９  アイドラ歯車
１１  ハンドル
１２  安全カバー
１３  下部樋
１５  ロック装置
１６  ロック穴
【図１】
2006205486.tif 000003
【図２】
2006205486.tif 000004
【図３】
2006205486.tif 000005